(57)【要約】【課題】感光性記録媒体用カートリッジが、種類の異なる記録媒体用の記録再生装置に誤って装填されるのを阻止し、これにより記録されたデータや記録再生装置に与える損傷を防止することができる感光性記録媒体用カートリッジを提供する。【解決手段】感光性記録媒体２１を回転自在に収容するカートリッジ２０の装填方向Ｃの前面２０ａには、その幅方向の全長に亘って平面部２０ｃが形成され、平面部２０ｃが装填方向Ｃと直交する方向に延設された溝部２９を備え、正規の記録再生装置４０のシャッタ開放部材４３は、溝部２９に嵌合して移動することによりシャッタ２４を押圧して開口２５を開放し、一方で、カートリッジ２０が未対応の記録再生装置１０に挿入されると、前面２０ａの平面部２０ｃがシャッタ開閉ピン１１と干渉して挿入を阻止し、カートリッジ２０の誤装填を防止する。【選択図】図３
2007052837.tif 000002
【特許請求の範囲】
【請求項１】
感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、を有する感光性記録媒体用カートリッジであって、
前記カートリッジ本体の装填方向前方の前面は、少なくとも板厚方向の一部がその全幅に亘って前記装填方向と直交する平面に形成されていることを特徴とする感光性記録媒体用カートリッジ。
【請求項２】
前記カートリッジ本体の前記前面は、前記装填方向と直交する方向に延設された溝部を備え、前記感光性記録媒体用カートリッジの挿入に伴ってシャッタ開放部材が前記溝部に嵌合して移動することにより前記シャッタを押圧して前記開口を開放することを特徴とする請求項１に記載の感光性記録媒体用カートリッジ。
【請求項３】
前記溝部は、一端が前記カートリッジ本体の側端面に連通することを特徴とする請求項２に記載の感光性記録媒体用カートリッジ。
【請求項４】
前記カートリッジ本体は、その板厚方向の表面側または裏面側に前記感光性記録媒体用カートリッジの装填方向前方から前記開口に向かって形成された溝部を備え、前記感光性記録媒体用カートリッジの挿入に伴って前記シャッタ開放部材が前記溝部に嵌合して移動することにより前記シャッタを押圧して前記開口を開放することを特徴とする請求項１に記載の感光性記録媒体用カートリッジ。
【請求項５】
前記感光性記録媒体は、ホログラム記録媒体であることを特徴とする請求項１から４のいずれか１つに記載の感光性記録媒体用カートリッジ。
【発明の詳細な説明】
【技術分野】
【０００１】
本発明は、感光性記録媒体用カートリッジに関し、特に、感光性記録媒体用カートリッジがメディアの種類が異なる記録再生装置に誤装填されるのを防止することができる感光性記録媒体用カートリッジに関する。
【背景技術】
【０００２】
各種情報を記録する記録媒体として、従来から記録原理の異なる円盤状の記録媒体が種々用いられている。これら円盤状の記録媒体は、外部からの塵埃や異物の侵入、作業者の接触による影響、感光性記録媒体にあっては光による感光の影響を排除するために、一般にシャッタ付きカートリッジケースに収容されている。また、カートリッジケースに収容された記録媒体にデータを記録し、または記録されたデータを再生する記録再生装置は、記録媒体ごとに専用の記録再生装置が用いられる。
【０００３】
このような記録媒体、例えば、光磁気ディスクは、カートリッジケースに収容されたディスクカセットが知られており、ディスクカセットごと記録再生装置に装填してデータが記録、再生される（例えば、特許文献１参照）。特許文献１のディスクカセットＤＫは、図１０に示すように、光磁気ディスク２が上ハーフ部材１ａと下ハーフ部材１ｂとからなるケース１内に回動自在に収容されている。
【０００４】
ケース１には、光磁気ディスク２の信号記録領域およびチャッキング部を外部に露出させる開口部３ａ，３ｂが形成されている。ケース１の外側には、開口部３ａ，３ｂを開閉するシャッタ４がスライド自在に配設されている。シャッタ４は、ケース１の前端面１ｃに沿ってスライド自在に設けられたスライダ５に固定されており、スライダ５と共にスライドして開口部３ａ，３ｂを開閉する。
【０００５】
スライダ５の突部５ａは、ケース１の前端面１ｃよりディスク挿入方向前方に突出して形成されている。また、前端面１ｃには記録再生装置１０（図１１参照）のシャッタ開閉ピン１１がシャッタ４を開位置まで変位させたときに入り込む凹部７が設けられている。
【０００６】
このようなディスクカセットＤＫは、図１１に示す記録再生装置１０に装填されてシャッタ４が開放され、データが記録、または再生される。記録再生装置１０のシャッタ開閉機構Ｅは、カセットホルダ１３に形成されたカム孔１２と、カム孔１２に係合してカム孔１２に沿って移動可能なシャッタ開閉ピン１１とから構成されている。
【０００７】
ディスクカセットＤＫがカセットホルダ１３に挿入されると、シャッタ開閉ピン１１はケース１に押されて前端面１ｃに摺接しながらカム孔１２に沿って移動し、これによりスライダ５（突部５ａ）を押圧してシャッタ４を開放する。シャッタ４が開位置に達すると、シャッタ開閉ピン１１はケース１の前端面１ｃに形成された凹部７に入り込む。そして、ディスクカセットＤＫが装填位置に達すると、ケース１の裏面に設けられた位置決め用溝８にカセットホルダ１３の位置決めピン１４が嵌合してディスクカセットＤＫを所定の位置に位置決めする。
【０００８】
【特許文献１】特開平７−２５４２４９号公報
【発明の開示】
【発明が解決しようとする課題】
【０００９】
種類の異なる円盤状記録媒体は、取扱い性などの問題から外径、形状などが類似したものが多い。従って、このような円盤状記録媒体を収容するカートリッジケースの形状や外形寸法も、必然的に類似したものが多くなる傾向がある。この場合、ホログラム記録媒体を収容する感光性記録媒体用カートリッジが、誤って光磁気ディスク用記録再生装置に装填されると、ホログラム記録媒体の記録層に損傷を与え、データが破壊されるおそれがある。また、極端な場合には、光磁気ディスク用記録再生装置が損傷を受ける可能性がある。
【００１０】
本発明は、上記事情に鑑みてなされたもので、その目的は、感光性記録媒体用カートリッジが、種類の異なる記録媒体用の記録再生装置に誤って装填されるのを阻止し、これにより記録されたデータや記録再生装置に与える損傷を防止することができる感光性記録媒体用カートリッジを提供することにある。
【課題を解決するための手段】
【００１１】
本発明の上記目的は、下記感光性記録媒体用カートリッジによって達成される。
（１）  感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、を有する感光性記録媒体用カートリッジであって、前記カートリッジ本体の装填方向前方の前面は、少なくとも板厚方向の一部がその全幅に亘って前記装填方向と直交する平面に形成されていることを特徴とする感光性記録媒体用カートリッジ。
【００１２】
上記構成の感光性記録媒体用カートリッジによれば、カートリッジ本体の装填方向の前面が、その全幅に亘って装填方向と直交する平面を有するので、感光性記録媒体用カートリッジが感光性記録媒体以外の記録媒体を対象とした記録再生装置に挿入されると、シャッタ開放部材が感光性記録媒体用カートリッジの前面の平面に当接して、感光性記録媒体用カートリッジが最終位置まで挿入されるのを阻止する。従って、感光性記録媒体用カートリッジは、予定された装填位置に装填することができず、感光性記録媒体用カートリッジの誤装填が防止される。
【００１３】
（２）  前記カートリッジ本体の前記前面は、前記装填方向と直交する方向に延設された溝部を備え、前記感光性記録媒体用カートリッジの挿入に伴ってシャッタ開放部材が前記溝部に嵌合して移動することにより前記シャッタを押圧して前記開口を開放することを特徴とする上記（１）に記載の感光性記録媒体用カートリッジ。
【００１４】
上記構成の感光性記録媒体用カートリッジによれば、カートリッジ本体の前面には、該前面に沿ってシャッタ開放部材が嵌合する溝部が形成されているので、シャッタ開放部材を溝部に嵌合させて移動することにより、シャッタが押圧されて開口を確実に開放することができる。
【００１５】
（３）  前記溝部は、一端が前記カートリッジ本体の側端面に連通することを特徴とする上記（２）に記載の感光性記録媒体用カートリッジ。
【００１６】
上記構成の感光性記録媒体用カートリッジによれば、溝部の一端がカートリッジ本体の側端面に連通しているので、シャッタ開放部材であるシャッタ開閉ピンの待機位置をカートリッジ本体の側端に配置し、感光性記録媒体用カートリッジの記録再生装置への挿入に伴ってシャッタ開閉ピンを溝部に沿わせて移動してシャッタを開放することができる。これにより、感光性記録媒体用カートリッジの前面に平面を設けて、種類の異なる記録再生装置への挿入を防止し、且つ正規の記録再生装置ではシャッタ開閉ピンでシャッタを押圧して開放することができる。
【００１７】
（４）  前記カートリッジ本体は、その板厚方向の表面側または裏面側に前記感光性記録媒体用カートリッジの装填方向前方から前記開口に向かって形成された溝部を備え、前記感光性記録媒体用カートリッジの挿入に伴って前記シャッタ開放部材が前記溝部に嵌合して移動することにより前記シャッタを押圧して前記開口を開放することを特徴とする上記（１）に記載の感光性記録媒体用カートリッジ。
【００１８】
上記構成の感光性記録媒体用カートリッジによれば、カートリッジ本体の板厚方向表面側または裏面側に溝部を設け、該溝部にシャッタ開放部材を嵌合させて移動することによりシャッタを開放するようにしたので、感光性記録媒体用カートリッジの前面を平面に形成することができる。これにより、感光性記録媒体用カートリッジが誤って異なる種類の記録再生装置に装填されるのを防止することができる。
【００１９】
（５）  前記感光性記録媒体は、ホログラム記録媒体であることを特徴とする上記（１）〜（４）のいずれか１つに記載の感光性記録媒体用カートリッジ。
【００２０】
上記構成の感光性記録媒体用カートリッジによれば、感光性記録媒体用カートリッジの誤装填を阻止してホログラム記録媒体への誤った操作を防止することができる。これにより、ホログラム記録媒体を保護すると共に、記録されたデータの損傷を防止することができる。
【発明の効果】
【００２１】
本発明によれば、感光性記録媒体用カートリッジが、種類の異なる記録媒体用の記録再生装置に誤って装填されるのを防止し、これにより記録されたデータや記録再生装置に与える損傷を防止することができる感光性記録媒体用カートリッジを提供できる。
【発明を実施するための最良の形態】
【００２２】
以下、本発明の各実施形態を図面に基づいて詳しく説明する。
＜第１実施形態＞
図１は本発明の実施形態であるホログラム記録媒体用カートリッジ（以下、カートリッジと省略する）の外観形状を示す斜視図、図２は図１におけるＩＩ―ＩＩ矢視断面図であり、（Ａ）はカートリッジ全体の断面図、（Ｂ）は（Ａ）の前端縁の拡大図、（Ｃ）は（Ａ）の後端縁の拡大図である。
【００２３】
図１に示すように、カートリッジ２０は、このカートリッジを取り扱うホログラム記録装置等に対し、矢印Ｃ方向から装填される。記録ディスク２１は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク２１の穴部に補強材を付加してもよい。カートリッジ２０は、記録ディスク２１の両面の記録面に記録を行なうために、Ａ面２３ａまたはＢ面２３ｂのいずれかを上にしてホログラム記録装置にセットされる。
【００２４】
カートリッジ２０は、ディスク収容部２２が設けられたカートリッジ本体２３と、このカートリッジ本体２３の外側に摺動自在に組み込まれるシャッタ２４とを備えている。カートリッジ本体２３には、略長方形の開口２５、２６が形成されている。これらの開口２５、２６は、シャッタ２４が閉じ位置にあるときに、第１シャッタ２４ａ、第２シャッタ２４ｂによって閉じられている。
【００２５】
シャッタ２４が矢印Ｄ方向の開き位置に向けて移動すると、カートリッジ本体２３に設けられている開口２５、２６が開放される。これにより、ディスク収容部２２内に収容されている記録ディスク２１の中心部２１ａと、記録面２１ｂとが外部に露呈される。シャッタ２４は、内蔵するシャッタバネによって閉じ位置に付勢されている。
【００２６】
図２に示すように、カートリッジ本体２３は、略板状の第１シェル２７と、この第１シェル２７に接合される第２シェル２８とから構成されている。第１シェル２７と第２シェル２８は、例えば、遮光性物質と滑剤とが添加された同一または類似の熱可塑性プラスチックを用いて、射出成形により形成されている。カートリッジ２０の後端縁部の拡大した断面図である図２（Ｃ）に示すように、第１シェル２７の内面には、記録ディスク２１の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク２１の中心部２１ａと記録面２１ｂとを外部に露呈させる開口２５が設けられている。
【００２７】
第２シェル２８の内面には、記録ディスク２１の外径よりも大きな径で形成された突条であり、第１シェル２７の第１の遮光壁３０と第２の遮光壁３１との間に挿入される第３の遮光壁３５と、端縁全周に設けられた突条３６とが設けられている。第３の遮光壁３５の内側には、記録ディスク２１の中心部２１ａと記録面２１ｂとを外部に露呈させる開口２６が設けられている。
【００２８】
第２シェル２８の第３の遮光壁３５の内側に記録ディスク２１を乗せ、第１シェル２７を第２シェル２８の上面に重ね合わせると、第３の遮光壁３５が第１の遮光壁３０と第２の遮光壁３１との間に挿入され、第３の遮光壁３５の先端が第１シェル２７の内面２７ｃに当接する。ディスク収容部２２は、これらの遮光壁３０、３１、３５と、第１シェル２７及び第２シェル２８の内面とによって形成される。ディスク収容部２２の側壁は、３枚の遮光壁３０，３１,３５が入り組んで形成されたラビリンス状の遮光構造となる。そのため、第１シェル２７及び第２シェル２８の合せ目から光や塵芥が入り込んでも、これらがディスク収容部２２内にまで進入することはない。
【００２９】
また、第２シェル２８の第３の遮光壁３５の先端は、超音波溶着によって第１シェル２７の内面２７ｃに固着される。これにより、第１シェル２７と第２シェル２８とが強固に接合されるため、両者の合せ目に隙間が開くようなことはない。
【００３０】
第１シェル２７及び第２シェル２８の外面には、シャッタ２４の厚み以上の深さで内側にオフセットされたシャッタ摺動面２７ａ、２８ａが、シャッタ２４の作動範囲の全域をカバーするように形成されている。
【００３１】
シャッタ２４は、遮光性を有する薄板を略コ字形状となるように屈曲させて形成されている。シャッタ２４は、遮光性、耐食性、装飾性、加工性を得ることができ、且つ軽量で強度のあるものとして、例えば、アルミニウム合金で形成されている。なお、シャッタ２４をプラスチックで形成してもよいが、遮光性と滑り性とを確保するために、遮光性物質と滑剤とが添加されたプラスチックを用いるとよい。
【００３２】
シャッタ２４は、第１シェル２７の外面に形成されたシャッタ摺動面２７ａに対向配置される第１シャッタ２４ａと、第２シェル２８の外面に形成されたシャッタ摺動面２８ａに対向配置される第２シャッタ２４ｂと、これら第１シャッタ２４ａと第２シャッタ２４ｂとを連設する連設部２４ｃとを備えている。シャッタ２４は、第１シャッタ２４ａおよび第２シャッタ２４ｂでカートリッジ本体２３の両面を挟み込み、且つ連設部２４ｃでカートリッジ２０の前面２０ａを覆うようにしてカートリッジ本体２３のシャッタ摺動面２７ａ、２８ａに取り付けられる。
【００３３】
第１シェル２７と第２シェル２８との外面には、シャッタ２４の厚み以上の深さで内側にオフセットさせたシャッタ摺動面２７ａ,２８ａが形成されているのだ、シャッタ２４はカートリッジ本体２３の外側をスムースに移動することができるため、移動による切屑等の発生を抑えることができる。なお、シャッタ摺動面２７ａ,２８ａおよびシャッタ２４の内面は、入射した光を拡散するために、粗面にしてもよい。
【００３４】
シャッタ２４は、図示しないシャッタバネにより閉じ方向に付勢されている。シャッタバネは、例えば、コイルバネからなり、その両端は、シャッタ２４と、第１シェル２７とに係止されている。
【００３５】
図２（Ｂ）および図３に示すように、第１シェル２７および第２シェル２８のカートリッジ２０の装填方向前方の前端縁には、互いに対称形である断面略Ｌ字形の溝２７ｂ、２８ｂが形成されている。溝２７ｂ、２８ｂは、第１シェル２７と第２シェル２８とが組み付けられたとき、カートリッジ２０の前面２０ａに略コの字形の溝部２９を形成する。溝部２９の形状を略コの字形とすることにより、カートリッジ２０の前面２０ａには、その板厚方向の一部（上部および下部）に全幅に亘って挿入方向Ｃと直交する平面部２０ｃが形成される。また、溝部２９は、一端２９ａがカートリッジ２０の一方の側端面２０ｂ（図３において右側端面）に連通し、他端２９ｂが開口２５,２６の左縁部よりも左側まで達している。
【００３６】
次に、本発明のカートリッジの記録再生装置への装填について図３から図６に基づいて説明する。図３は本発明のカートリッジが、これに対応する記録再生装置（感光性記録媒体用記録再生装置）に挿入される前の状態を示す概略説明図、図４は図３における右側面図、図５はカートリッジが正常に装填されてシャッタが開放された状態を示す概略説明図、図６は本発明のカートリッジが未対応の記録再生装置に挿入されて装填が阻止された状態を示す概略説明図である。
【００３７】
図３および図４に示すように、記録再生装置４０は、装填されるカートリッジ２０の右側端面２０ｂよりも右側に配置された支点ピン４１をと中心として回動自在に配設されたシャッタアーム４２を備える。シャッタアーム４２は、その先端にシャッタ開放部材であるシャッタ開閉ピン４３が設けられると共に、支点ピン４１に嵌合するねじりコイルバネ４４の一端が係止されて反時計方向に付勢されて、ストッパ４５に当接する待機位置にある。
【００３８】
シャッタ開閉ピン４３の幅は、カートリッジ２０の溝部２９の幅より僅かに狭くなっている。また、待機位置におけるシャッタ開閉ピン４３は、挿入されるカートリッジ２０の右側端面２０ｂより僅かにカートリッジ２０の中心側に位置し、且つ板厚方向で溝部２９に対応する位置に配置されている。
【００３９】
これにより、カートリッジ２０が矢印Ｃ方向に挿入されると、シャッタ開閉ピン４３は溝部２９の一端２９ａに嵌合する。更にカートリッジ２０が挿入されると、シャッタアーム４２はカートリッジ２０に押圧され、ねじりコイルバネ４４の弾性力に抗して時計方向に回動する。このときシャッタ開閉ピン４３は、溝部２９中を図中左方向（カートリッジ２０の中心方向）に摺動し、シャッタ２４を押圧して開く方向（図中左方向）に移動させる。
【００４０】
図５に示すように、カートリッジ２０が所定の装填位置に達すると、シャッタアーム４２はカートリッジ２０の前面２０ａと略平行となってシャッタ２４を開放し、開口２５、２６を外部に露出させてカートリッジ２０の装填が完了する。これにより、データの記録再生の準備が整う。
【００４１】
一方、図６に示すように、カートリッジ２０が既存の記録再生装置、例えば、カートリッジ２０に未対応の図１１に示される記録再生装置１０に挿入されると、シャッタ開閉ピン１１がカートリッジ２０の前面２０ａに当接し、カートリッジ２０の更なる挿入に伴って前面２０ａに沿って図中左方向に移動するが、前面２０ａはその幅の全長に亘って平面部２０ｃを有するので、シャッタ開閉ピン１１はシャッタ２４と係合することなくシャッタ２４上を摺動して移動して、シャッタ２４は開放されない。
【００４２】
従って、カートリッジ２０は、シャッタ２４が閉じた状態のまま挿入され、カートリッジ２０で押圧されるシャッタ開閉ピン１１がカム孔１２の終端部１２ａ（図１１参照）に達したとき、前面２０ａがシャッタ開閉ピン１１に当接してそれ以上の挿入が阻止される。換言すれば、カートリッジ２０は、前面２０ａの予定到達位置ＦＬよりもシャッタ開閉ピン１１の直径分だけ手前で挿入が阻止されるので、カートリッジ２０の誤装填が防止される。また、このとき、シャッタ２４は開放されずに遮光されているので、カートリッジ２０が誤挿入された記録再生装置が遮光されていないものであっても、記録ディスク２１は感光することがない。
【００４３】
尚、上記実施形態においては、溝部２９の形状は断面コの字形の溝として説明したが、断面Ｌ字形の溝であってもよい。
【００４４】
＜第２実施形態＞
次に、本発明の第２実施形態のカートリッジについて、図７から図９を参照して説明する。図７は本発明の第２実施形態のカートリッジが、対応済みの記録再生装置（感光性記録媒体用記録再生装置）に挿入される前の状態を示す概略説明図、図８は図７における右側面図、図９はカートリッジが正常に装填されてシャッタが開放された状態を示す概略説明図である。尚、第２実施形態のカートリッジは、溝部の位置およびシャッタの形状が第１実施形態のカートリッジと異なる以外は同様であるので、同一部分には同一符号または相当符号を付して説明を省略または簡略化する。
【００４５】
図７および図８に示すように、第２実施形態のカートリッジ１２０の開口１２５は、開口部１２４ａが形成されたシャッタ１２４によりカバーされて遮光されている。即ち、シャッタ１２４が閉じ位置にあるとき、その開口部１２４ａはカートリッジ１２０の開口１２５と重ならない位置に配置されている。カートリッジ１２０の表面１２０ｂには、図７における開口１２５の右側に、カートリッジ１２０の挿入方向に形成された直線溝と、該直線溝から連続して開口１２５に向かって略４５°傾斜して延設された傾斜溝とからなる溝部１２９が形成されている。
【００４６】
カートリッジ１２０に対応する記録再生装置１４０には、第１実施形態と同様に、先端にシャッタ開放部材であるシャッタ開閉ピン４３を備えるシャッタアーム４２が回動自在に配設されている。但し、シャッタ開閉ピン４３は、カートリッジ１２０の表面１２０ｂに形成された溝部１２９に対応するように、カートリッジ１２０の板厚方向表面側にオフセットされて配置されている。これにより、シャッタ開閉ピン４３は、カートリッジ１２０が挿入されたとき、溝部１２９に係合可能であり、カートリッジ１２０の挿入に伴って溝部１２９中を摺動する。
【００４７】
カートリッジ１２０が矢印Ｃ方向に挿入されると、シャッタ開閉ピン４３は、先ず溝部１２９の直線溝に嵌合して該溝内を後方に相対移動する。カートリッジ１２０が更に挿入されてシャッタ開閉ピン４３が傾斜溝に達すると、シャッタ開閉ピン４３は傾斜溝に沿って開口１２５方向に移動し、シャッタ１２４の側面を押圧して図中左方向に移動させる。そして、シャッタ１２４は、その開口１２４ａがカートリッジ１２０の開口１２５と重なる位置まで移動してシャッタ１２４が開放される。これにより、開口１２５から記録ディスク２１が外部に露出してカートリッジ１２０の装填が終了する。
【００４８】
第２実施形態のカートリッジ１２０においても、その前面１２０ａには平面部１２０ｃが形成されているので、図６に示すように、カートリッジ１２０に未対応の記録再生装置１０（図１１参照）に挿入されても、シャッタ１２４が開放することはなく、記録ディスク２１の感光が防止される。また、第１実施形態のカートリッジ２０と同様に、前面１２０ａ（平面部１２０ｃ）がシャッタ開閉ピン１１に当接してカートリッジ１２０の挿入が阻止されて誤装填が防止される。
【００４９】
尚、上記各実施形態において、シャッタのロック機構を持たないカートリッジについて説明したが、シャッタを閉じ位置でロックするロック機構を備えるようにしてもよい。この場合、シャッタが不用意に開放されることがないので、不注意による感光性記録媒体の感光が防止されるので好ましい。
【図面の簡単な説明】
【００５０】
【図１】図１から図６は、本発明の第１実施形態に係り、図１はホログラム記録媒体用カートリッジの外観形状を示す斜視図である。
【図２】図１におけるＩＩ―ＩＩ矢視断面図であり、（Ａ）はカートリッジ全体の断面図、（Ｂ）は（Ａ）の前端縁の拡大図、（Ｃ）は（Ａ）の後端縁の拡大図である。
【図３】本発明のカートリッジが、これに対応する再生装置（感光性記録媒体用記録再生装置）に挿入される前の状態を示す概略説明図である。
【図４】図３における右側面図である。
【図５】カートリッジが正常に装填されてシャッタが開放された状態を示す概略説明図である。
【図６】本発明のカートリッジが未対応の再生装置に挿入されて装填が阻止された状態を示す概略説明図である。
【図７】図７から図９は本発明の第２実施形態に係り、図７はカートリッジが、これに対応する記録再生装置（感光性記録媒体用記録再生装置）に挿入される前の状態を示す概略説明図である。
【図８】図７における右側面図である。
【図９】カートリッジが正常に装填されてシャッタが開放された状態を示す概略説明図である。
【図１０】従来のディスクカセットの斜視図である。
【図１１】従来の記録再生装置の分解斜視図である。
【符号の説明】
【００５１】
２０       カートリッジ（感光性記録媒体用カートリッジ）
２０ａ     前面
２０ｂ     カートリッジの側端面
２０ｃ     平面部
２１       記録ディスク（感光性記録媒体、ホログラム記録媒体）
２１ａ     感光性記録媒体の中心部
２１ｂ     感光性記録媒体の記録面
２３       カートリッジ本体
２４       シャッタ
２５       開口
２６       開口
２９       溝部
２９ａ     溝部の一端
４０       記録再生装置
４３       シャッタ開閉ピン（シャッタ開放部材）
１２０     カートリッジ（感光性記録媒体用カートリッジ）
１２０ａ   前面
１２０ｂ   カートリッジの表面
１２０ｄ   平面部
１２４     シャッタ
１２５     開口
１２９     溝部
１４０     記録再生装置
【図１】
2007052837.tif 000003
【図２】
2007052837.tif 000004
【図３】
2007052837.tif 000005
【図４】
2007052837.tif 000006
【図５】
2007052837.tif 000007
【図６】
2007052837.tif 000008
【図７】
2007052837.tif 000009
【図８】
2007052837.tif 000010
【図９】
2007052837.tif 000011
【図１０】
2007052837.tif 000012
【図１１】
2007052837.tif 000013